(57)【要約】【課題】内線端末に接続された外部機器に対して、自端末が備える蓄電池に蓄積された電力を優先して供給する手段を提供する。【解決手段】蓄電部１０３と、構内交換装置からの電力または蓄電部１０３に蓄積された電力を外部機器２００へ供給する外部機器ＩＦ１０９を備える内線端末１００であって、外部機器接続検出部１０５と、電圧監視手段と、蓄積電力量監視手段と、内線端末内給電制御部１０８と、を有し、内線端末内給電制御部１０８は、外部機器２００が接続されておりかつ蓄電部１０３に蓄積されている電力量が所定値以上ならば蓄電部１０３に蓄積されている電力を外部機器ＩＦ１０９を介して外部機器２００へ供給し、外部機器２００が接続されておりかつ蓄電部１０３に蓄積されている電力量が所定値未満ならば内線端末１００内の一部への給電を停止または制限する。【選択図】図１
2013187688.tif 000002
【特許請求の範囲】
【請求項１】
内線電話システムを構成する構内交換装置から入力された電力を蓄積する蓄電池と、前記構内交換装置から入力された電力または前記蓄電池に蓄積された電力を電圧変換した電力を外部機器へ供給する外部機器インターフェースを備える前記内線電話システムを構成する内線端末であって、
前記外部機器インターフェースに外部機器が接続されたことを検出する外部機器接続検出手段と、前記構内交換装置から入力する電圧が印加されているか否かを監視する電圧監視手段と、前記蓄電池に蓄積されている電力量を監視する蓄積電力量監視手段と、自内線端末内の一部への給電を停止または制限する内線端末内給電制御手段と、を有し、
前記内線端末内給電制御手段は、前記外部機器が接続されておりかつ前記蓄電池に蓄積されている電力量が所定値以上ならば前記蓄電池に蓄積されている電力を前記外部機器インターフェースを介して外部機器へ供給し、前記外部機器が接続されておりかつ前記蓄電池に蓄積されている電力量が所定値未満ならば自内線端末内の一部への給電を停止または制限することを特徴とする蓄電および給電機能を有する内線端末。
【請求項２】
請求項１に記載の内線端末であって、
蓄電池を自内線端末が備えるハンドセット内に配置することを特徴とする蓄電および給電機能を有する内線端末。
【請求項３】
請求項１に記載の内線端末において、
自内線端末は変動する磁界または電界により電力を伝達するワイヤレス給電に対応する充電機能を有する無線端末であって、前記外部機器インターフェースは前記ワイヤレス給電に対応する送電手段を有することを特徴とする蓄電および給電機能を有する内線端末。
【請求項４】
内線電話システムを構成する内線端末から入力された電力または内蔵の発電機で発電する電力を蓄積する蓄電池と、前記内線端末から入力された電力または内蔵の発電機で発電する電力または前記蓄電池に蓄積された電力を電圧変換した電力を外部機器へ供給する外部機器インターフェースを備える内線端末のハンドセットであって、
前記外部機器インターフェースに外部機器が接続されたことを検出する外部機器接続検出手段と、前記構内交換装置から入力する電圧が印加されているか否かを監視する電圧監視手段と、前記蓄電池に蓄積されている電力量を監視する蓄積電力量監視手段と、自ハンドセット内の一部への給電を停止または制限するハンドセット内給電制御手段と、を有し、
前記ハンドセット内給電制御手段は、前記外部機器が接続されておりかつ前記蓄電池に蓄積されている電力量が所定値以上ならば前記蓄電池に蓄積されている電力を前記外部機器インターフェースを介して外部機器へ供給し、前記外部機器が接続されておりかつ前記蓄電池に蓄積されている電力量が所定値未満ならばハンドセット内の一部への給電を停止または制限し、前記外部機器が接続されておりかつ前記蓄電池に蓄積されている電力量が所定値未満かつ前記内蔵の発電機で発電する電力の発電電力量が一定以上ならば、前記外部機器への電力供給を継続することを特徴とする蓄電および給電機能を有する内線端末のハンドセット。
【発明の詳細な説明】
【技術分野】
【０００１】
本発明は、蓄電および給電機能を有する内線端末及びハンドセットに関する。
【背景技術】
【０００２】
従来の構内交換装置またはボタン電話システムにおいて、例えば、停電のような外部から入力する交流電力が何らかの原因で遮断された場合に、ボタン電話システムの主装置に接続または内蔵された蓄電池によって主装置及び内線端末に電力を供給していた。このことは特許文献１に示されている。
【先行技術文献】
【特許文献】
【０００３】
【特許文献１】特開平６−１６５２３２号公報
【発明の概要】
【発明が解決しようとする課題】
【０００４】
しかしながら、今日では、構内交換装置またはボタン電話システムの継続稼働を維持することよりも、照明、携帯電話機の充電のような非常時に役立つ機器に優先して電力を供給したい状況が多々ある。
【０００５】
そこで、本発明の課題は、内線端末またはハンドセットに接続された外部機器に対して、自端末または自ハンドセットが備える蓄電池に蓄積された電力を優先して供給する手段を提供することにある。
【課題を解決するための手段】
【０００６】
本発明の蓄電および給電機能を有する内線端末は、内線電話システムを構成する構内交換装置から入力された電力を蓄積する蓄電池と、前記構内交換装置から入力された電力または前記蓄電池に蓄積された電力を変換した電力を外部機器へ供給する外部機器インターフェースを備える前記内線電話システムを構成する内線端末であって、前記外部機器インターフェースに外部機器が接続されたことを検出する外部機器接続検出手段と、前記構内交換装置から入力する電圧が印加されているか否かを監視する電圧監視手段と、前記蓄電池に蓄積されている電力量を監視する蓄積電力量監視手段と、自内線端末内の一部への給電を停止または制限する内線端末内給電制御手段と、を有し、前記内線端末内給電制御手段は、前記外部機器が接続されておりかつ前記蓄電池に蓄積されている電力量が所定値以上ならば前記蓄電池に蓄積されている電力を前記外部機器インターフェースを介して外部機器へ供給し、前記外部機器が接続されておりかつ前記蓄電池に蓄積されている電力量が所定値未満ならば自内線端末内の一部への給電を停止または制限することを特徴とする。
【０００７】
また、蓄電および給電機能を有する内線端末は、蓄電池を自内線端末が備えるハンドセット内に配置することを特徴とする。
【０００８】
また、蓄電および給電機能を有する内線端末は、自内線端末は変動する磁界または電界により電力を伝達するワイヤレス給電に対応する充電機能を有する無線端末であって、前記外部機器インターフェースは前記ワイヤレス給電に対応する送電手段を有することを特徴とする。
【０００９】
また、本発明の蓄電および給電機能を有するハンドセットは、内線電話システムを構成する内線端末から入力された電力または内蔵の発電機で発電する電力を蓄積する蓄電池と、前記内線端末から入力された電力または内蔵の発電機で発電する電力または前記蓄電池に蓄積された電力を電圧変換した電力を外部機器へ供給する外部機器インターフェースを備える内線端末のハンドセットであって、前記外部機器インターフェースに外部機器が接続されたことを検出する外部機器接続検出手段と、前記構内交換装置から入力する電圧が印加されているか否かを監視する電圧監視手段と、前記蓄電池に蓄積されている電力量を監視する蓄積電力量監視手段と、自ハンドセット内の一部への給電を停止または制限するハンドセット内給電制御手段と、を有し、前記ハンドセット内給電制御手段は、前記外部機器が接続されておりかつ前記蓄電池に蓄積されている電力量が所定値以上ならば前記蓄電池に蓄積されている電力を前記外部機器インターフェースを介して外部機器へ供給し、前記外部機器が接続されておりかつ前記蓄電池に蓄積されている電力量が所定値未満ならばハンドセット内の一部への給電を停止または制限し、前記外部機器が接続されておりかつ前記蓄電池に蓄積されている電力量が所定値未満かつ前記内蔵の発電機で発電する電力の発電電力量が一定以上ならば、前記外部機器への電力供給を継続することを特徴とする。
【発明の効果】
【００１０】
本発明によれば、構内交換装置から入力される電力が何らかの原因で遮断された場合に、ハンドセットへの給電を停止または制限することにより、接続された外部機器に対して、自端末が備える蓄電池に蓄積された電力を優先して供給することが可能である。
【００１１】
また、本発明によれば、内線電話システムを構成する内線端末から入力される電力が何らかの原因で遮断された場合に、ハンドセット内の一部への給電を停止または制限することにより、接続された外部機器に対して、自ハンドセットが備える蓄電池に蓄積された電力を優先して供給することが可能である。
【図面の簡単な説明】
【００１２】
【図１】図１は、本発明の内線端末とハンドセットの構成図である。
【図２】図２は、内線端末の動作フローチャートである。
【図３】図３は、ハンドセットの動作フローチャートである。
【発明を実施するための形態】
【００１３】
以下、本発明の実施の形態について、図面を参照して説明する。
【実施例１】
【００１４】
図１は、本発明の内線端末１００とハンドセット３００の構成図である。
【００１５】
内線端末１００の説明から行う。構内交換装置より供給される電力は、内線端末ＩＦ１０１を介して電話機電力監視制御部１０２で受電する。受電した電力は電話機電圧変換部１０４にて供給先それぞれの規格に合わせて所定の電圧に変換され、再び電話機電力監視制御部１０２を介してそれぞれの供給先に供給する。
【００１６】
電話機蓄電部１０３には、所定の電圧に変換された電力が電話機電力監視制御部１０２から供給され蓄電する。電話機電力監視制御部１０２は、構内交換装置から受電した電力を監視し、受電電力監視結果が停電等により所定の値未満となった場合、電話機電力監視制御部１０２を介して電話機蓄電部１０３に蓄電された電力を内線端末１００の各所に送電する。
【００１７】
電話機能部１０６は、電話機としての機能を制御する部分であり、構内交換装置とのデータ伝送は内線端末ＩＦ１０１および電話機電力監視制御部１０２を介して行い、また、音声情報の送受信は、ハンドセットＩＦ１０７を介してハンドセット３００と行う。内線端末１００の電話機外部機器ＩＦ１０９に外部機器２００を接続した場合、電話機外部機器接続検出部１０５は、電話機外部機器ＩＦ１０９から、外部機器２００が接続されたことを検出した旨の検出情報を電話機電力監視制御部１０２に送信する。電話機電力監視制御部１０２は、検出情報を受信すると、電話機外部給電制御部１０８に対して給電開始の指示をし、電話機外部機器ＩＦ１０９を介して外部機器２００に給電を開始する。
【００１８】
ここで、外部機器２００が接続されたか否かの検出方法について説明する。外部機器２００が未接続の場合、電話機外部機器ＩＦ１０９は、ハイインピーダンス状態としておくものとする。電話機外部機器ＩＦ１０９に外部機器２００が接続されると、インピーダンスが下がり電話機外部機器ＩＦ１０９の電圧および電流の値が変化するため、その変化により外部機器２００が接続されたことを検出することが出来る。電話機外部機器ＩＦ１０９をハイインピーダンス状態としておく理由は、人が誤って触れた場合の感電防止のためである。
【００１９】
電話機表示部１１０は、電話機電力監視制御部１０２が電力監視を行っている電力情報を表示する箇所である。電力情報とは、構内交換装置からの受電電力監視結果、畜電池の電力残量、外部機器の検出情報、蓄電駆動が可能な残時間情報等のことである。表示方法は光や画像、音声でもよい。
【００２０】
また、内線端末１００が無線端末の場合、前述の電力監視のみならず、構内交換装置と内線端末ＩＦ１０１を通じて接続される無線端末親機に電波強度検出部１１１を設けることにより、受信する電波強度が所定の強度未満となった場合、その情報を電話機電力監視制御部１０２が受信し、蓄電電力駆動に切り替えることができる。
【００２１】
無線端末子機の場合、内線端末ＩＦ１０１の代わりに、例えば商用電源ＩＦ（ＡＣアダプタ等による充電ＩＦ）に置き換え、受信する電波強度が所定の強度未満となった場合、蓄電電力駆動に切り替えることができる。
【００２２】
また、外部機器２００がワイヤレス給電対応機器の場合、電話機外部機器ＩＦ１０９をワイヤレス給電外部機器ＩＦに置き換えることで対応可能であり、外部機器２００の検出方法は、有線が無線に変わるだけの違いであり、電磁波としての電力を監視すればよい。
【００２３】
次に、ハンドセット３００の説明を行う。ハンドセット３００内部には、電話機として必要なマイク３０５、レシーバ３０６を搭載する。内線端末１００からの電力は、ハンドセットＩＦ３０１を介し、ハンドセット電力監視制御部３０２が受電する。給電方法は、別に配線を設ける必要はなく、従来から行っているマイク３０５へのバイアス給電と音声信号とのファントム給電を利用し、ハンドセット３００内の各所への給電も同時に行うものとする。
【００２４】
ハンドセット電力監視制御部３０２が受電した電力は、ハンドセット電圧変換部３０８にて所定の電圧に変換され、供給先それぞれの規格に合わせて所定の電圧に変換し、再びハンドセット電力監視制御部３０２を介してそれぞれの供給先に供給する。ハンドセット蓄電部３０３には、所定の電圧に変換された電力がハンドセット電力監視制御部３０２から供給され蓄電する。ハンドセット電力監視制御部３０２は、内線端末１００から受電した電力を監視し、受電電力監視結果が停電等により所定の値未満となった場合、ハンドセット電力監視制御部３０２を介してハンドセット蓄電部３０３に蓄電された電力をハンドセット３００内の各所に送電する。また、マイク３０５へのバイアス給電のように電話機能に関する部分への給電は停止する。
【００２５】
ハンドセット３００のハンドセット外部機器ＩＦ３０９に外部機器４００を接続した場合、ハンドセット外部機器接続検出部３１０は、ハンドセット外部機器ＩＦ３０９から、外部機器４００が接続されたことを検出した旨の検出情報をハンドセット電力監視制御部３０２に送信する。ハンドセット電力監視制御部３０２は、検出情報を受信すると、ハンドセット外部給電制御部３１１に対して給電開始の指示をし、ハンドセット外部機器ＩＦ３０９を介して外部機器４００に給電を開始する。
【００２６】
ここで、外部機器４００が接続されたか否かの検出方法について説明する。外部機器４００が未接続の場合、ハンドセット外部機器ＩＦ３０９は、ハイインピーダンス状態としておくものとする。ハンドセット外部機器ＩＦ３０９に外部機器４００が接続されると、インピーダンスが下がりハンドセット外部機器ＩＦ３０９の電圧および電流の値が変化するため、その変化により外部機器４００が接続されたことを検出することが出来る。ハンドセット外部機器ＩＦ３０９をハイインピーダンス状態としておく理由は、人が誤って触れた場合の感電防止のためである。
【００２７】
発電部３０４は、再生可能な自然エネルギーにより発電を行う。発電電力はハンドセット電力監視制御部３０２を介し、ハンドセット電圧変換部３０８で所定の電圧に変換してハンドセット蓄電部３０３に蓄電する。
【００２８】
発電部３０４による発電は、ハンドセット３００が内線端末１００に未接続の状態でも継続することを可能とする。そのため、ハンドセット３００を自由に持ち歩いて発電と外部電力供給を行うことが可能である。ハンドセット表示部３０７は、ハンドセット電力監視制御部３０２が電力監視を行っている電力情報を表示する箇所である。電力情報とは、内線端末１００からの受電電力監視結果、畜電池の電力残量、発電電力情報、外部機器の検出情報、蓄電駆動が可能な残時間情報等のことである。表示方法は、光や画像、音声でもよい。
【００２９】
図２は、内線端末１００の動作フローチャートである。内線端末１００が構内交換機からの給電駆動中に（Ｓ１００）、外部機器２００が接続されたことを検出した場合（Ｓ１０１、ＹＥＳ）、外部機器２００へ電力を給電する（Ｓ１０２）。
【００３０】
停電となり、構内交換装置から受ける入力電力が一定未満と判断し（Ｓ１０３、ＹＥＳ）、かつ電話機蓄電部１０３に蓄電された蓄電電力が一定以上と判断した場合（Ｓ１０４、ＹＥＳ）、内線端末１００は、蓄電電力駆動に切り替わる（Ｓ１０５）。また、蓄電電力が一定未満と判断した場合は（Ｓ１０４、ＮＯ）、Ｓ１０６に進む。
【００３１】
次に、ハンドセット３００および内線端末１００内部への給電を停止する（Ｓ１０６）。ここで、内線端末１００内部への給電を停止するとは、電話機能部１０６への給電を停止して、電話機能に係る部分への給電を停止することを示す。このとき、外部機器２００が接続されたことを検出した場合（Ｓ１０７、ＹＥＳ）、外部機器２００へ蓄電電力を給電する（Ｓ１０８）。
【００３２】
停電復旧となり、構内交換装置からの給電が再開し、入力電力が一定以上（Ｓ１０９、ＹＥＳ）と判断した場合、ハンドセット３００および内線端末１００内部への給電を再開し（Ｓ１１０）、構内交換装置からの給電駆動中に戻る（Ｓ１００）。
【００３３】
図３は、ハンドセット３００の動作フローチャートである。内線端末１００からの給電駆動中に（Ｓ２００）、外部機器４００が接続されたことを検出した場合（Ｓ２０１、ＹＥＳ）、外部機器４００へ電力を給電する（Ｓ２０２）。
【００３４】
停電となり、内線端末１００から入力される電力が一定未満と判断し（Ｓ２０３、ＹＥＳ）、かつハンドセット蓄電部３０３に蓄電された蓄電電力が第一のしきい値以上と判断した場合（Ｓ２０４、ＹＥＳ）、ハンドセット３００は、蓄電電力駆動に切り替わる（Ｓ２０５）。
【００３５】
次に、ハンドセット内部回路への給電を停止する（Ｓ２０６）。ここで、ハンドセット３００の内部回路への給電を停止するとは、マイク３０５およびレシーバ３０６を停止して、電話機能に係る部分への給電を停止することを示す。このとき、外部機器４００が接続されたことを検出した場合（Ｓ２０７、ＹＥＳ）、外部機器４００へ蓄電電力を給電する（Ｓ２０８）。
【００３６】
次に、ハンドセット蓄電部３０３に蓄電された蓄電電力が第二のしきい値未満と判断し（Ｓ２０９、ＹＥＳ）、かつ発電部３０４による発電電力が一定未満と判断した場合（Ｓ２１０、ＮＯ）、ハンドセット内部回路への給電停止を継続する（Ｓ２１１）。このとき、外部機器４００が接続されたことを検出した場合（Ｓ２１２、ＹＥＳ）、外部機器４００へ蓄電電力を給電し（Ｓ２１３）、Ｓ２１８に進む。ここで、蓄電電力が第一のしきい値未満と判断した場合（Ｓ２０４、ＮＯ）、かつ、蓄電電力が第二のしきい値以上と判断した場合は（Ｓ２０９、ＮＯ）、Ｓ２０６に戻る。
【００３７】
また、ハンドセット蓄電部３０３に蓄電された電力が第二のしきい値未満と判断し（Ｓ２０９、ＹＥＳ）、かつ発電部３０４による発電電力が一定以上と判断した場合（Ｓ２１０、ＹＥＳ）、ハンドセット蓄電部３０３に発電電力を蓄電する（Ｓ２１４）。また、ハンドセット内部回路への給電停止を継続する（Ｓ２１５）。このとき、外部機器４００が接続されたことを検出した場合（Ｓ２１６、ＹＥＳ）、外部機器４００へ発電電力を給電する（Ｓ２１７）。
【００３８】
停電復旧となり、内線端末１００からの給電が再開し、入力電力が一定以上と判断した場合（Ｓ２１８、ＹＥＳ）、ハンドセット３００の内部回路への給電を再開し（Ｓ２１９）、電話機能を再開させ、内線端末１００からの給電駆動中に戻る（Ｓ２００）。
【００３９】
また、図示していないが、発電部３０４は停電中に限らず、通電中も発電を継続するため、ハンドセット蓄電部３０３に蓄電することができる。よって、通電中は省エネ目的で発電電力を利用可能である。
【００４０】
このように、本発明により、停電により主装置からの電力供給が停止しても、内線端末１００自体の蓄電電力およびハンドセット３００自体の蓄電電力を、接続される外部機器２００または外部機器４００へ供給することが可能である。また、ハンドセット３００においては発電可能であるため、内線端末１００から取り外して持ち運び可能な非常用電源として使用可能である。
【００４１】
また、電話機蓄電部１０３およびハンドセット蓄電部３０３で使用する蓄電池を汎用の乾電池の形状として取り外し可能とすることで、非常時に他の機器で使用することが可能である。さらに、本発明は、構内交換装置やボタン電話システムの内線端末に限らず、携帯電話機、スマートフォン等ＩＰ端末、テレビ等家電機器などの多くの機器に応用可能である。
【符号の説明】
【００４２】
１００  内線端末
１０１  内線端末ＩＦ
１０２  電話機電力監視制御部
１０３  電話機蓄電部
１０４  電話機電圧変換部
１０５  電話機外部機器接続検出部
１０６  電話機能部
１０７  ハンドセットＩＦ
１０８  電話機外部給電制御部
１０９  電話機外部機器ＩＦ
１１０  電話機表示部
１１１  電波強度検出部
２００  外部機器
３００  ハンドセット
３０１  ハンドセットＩＦ
３０２  ハンドセット電力監視制御部
３０３  ハンドセット蓄電部
３０４  発電部
３０５  マイク
３０６  レシーバ
３０７  ハンドセット表示部
３０８  ハンドセット電圧変換部
３０９  ハンドセット外部機器ＩＦ
３１０  ハンドセット外部機器接続検出部
３１１  ハンドセット外部給電制御部
４００  外部機器
【図１】
2013187688.tif 000003
【図２】
2013187688.tif 000004
【図３】
2013187688.tif 000005